(57)【要約】【課題】本発明は、ローラー表面に付着した銀スラッジを容易に除去でき、なおかつローラーに再度銀スラッジの付着を防止する銀塩写真感光材料処理装置用ローラー洗浄液を提供することである。【解決手段】銀塩写真感光材料の処理装置における水洗工程に用いるローラーを洗浄するための洗浄液において、該洗浄液が下記一般式（１）で示される化合物を含有することを特徴とするローラー洗浄液。    Ｒ−Ｏ−（ＥＯ）n−（ＰＯ）m−Ｈ  （１）【選択図】  なし【特許請求の範囲】
【請求項１】
銀塩写真感光材料の処理装置における水洗工程に用いるローラーを洗浄するための洗浄液において、該洗浄液が下記一般式（１）で示される化合物を含有することを特徴とするローラー洗浄液。
Ｒ−Ｏ−（ＥＯ）n−（ＰＯ）m−Ｈ  （１）
Ｒ：炭素数１から４のアルキル基
ＥＯ：エチレンオキシ基
ＰＯ：プロピレンオキシ基
ｎ，ｍは０以上の整数であり、同時に０になることはない。
ＥＯ，ＰＯの連結順はランダムでも良い。
【請求項２】
銀塩写真感光材料が、アルミニウム平版印刷版である請求項１に記載のローラー洗浄液。
【発明の詳細な説明】
【技術分野】
【０００１】
本発明は、銀塩写真感光材料の処理装置における水洗工程に用いるローラーを洗浄するための洗浄液に関する。
【背景技術】
【０００２】
従来、銀塩写真感光材料は露光後に、現像、脱銀、洗浄、安定化などの工程で処理されており、処理は通常自動現像機で行われている。該銀塩写真感光材料を処理する際、銀スラッジが感光材料表面に付着することを防ぐため水洗工程でローラーを用い取り除く方法がとられている。
【０００３】
上記のような水洗処理工程でランニング処理を行うことにより、膜面から溶出した銀スラッジが水洗液に浮遊し、更にローラー表面に付着し、銀塩写真感光材料表面に再付着して汚れを発生させていた。
【０００４】
以下に説明するように、銀塩アルミニウム平版印刷版の場合は、水洗工程でハロゲン化銀乳剤層の除去を行うので、水洗工程で多量の銀スラッジが発生し特に大きな問題となっている。
【０００５】
銀塩アルミニウム平版印刷版（以降、アルミニウム平版印刷版と称す）は、祖面化され陽極酸化されたアルミニウム支持体上に物理現像核を担持し、更にその上にハロゲン化銀乳剤層を設けた構成になっている。この平版印刷版の一般的な製版方法は、露光後、現像処理、水洗処理（ウォッシュオフ：ハロゲン化銀乳剤層の除去）、仕上げ処理の工程からなっている。
【０００６】
前記アルミニウム平版印刷版の製版方法における重要な工程の１つとして、水洗処理時のハロゲン化銀乳剤層の剥離除去（ウォッシュ・オフ）する工程がある。アルミニウム平版印刷版において、ハロゲン化銀乳剤層の剥離除去は、銀画像部及びアルミニウム表面自身で構成する非画像部を完全に露出させるために極めて重要な工程である。とりわけ、インキを受容する銀画像部は強い親油性が必要であり、ゼラチン等の親油性を阻害する物質は完全に排除する必要がある。
【０００７】
上記水洗処理は、２５〜４０℃の水洗液をジェット方式で吹き付けて乳剤層を剥離除去する方法、または水洗液を吹き付けながらスクラブローラで乳剤層を剥離する方法が一般的に採用されている。
【０００８】
上記のような水洗処理工程において、水洗液は濾過フィルターを介して循環し、水洗液中に溶出または分散した乳剤層の成分、例えば銀スラッジ等を回収して、水洗液を再利用することが行われている。従って、水洗液中に溶出または分散した乳剤層の成分を効率よく濾過することが水洗液再利用のためには好ましいが、充分に濾過回収できていないのが現状であり、水洗液の汚れがあった。特にランニング処理によって、水洗液中に溶け出した銀スラッジがローラー表面に付着し、アルミ表面に再付着して印刷汚れを発生させていた。
【０００９】
特開平８−２９９８８号公報にはクリーナープレートを用いて処理工程を洗浄する方法が開示されている（特許文献１）。しかし、これらの方法では不十分であり、再度銀スラッジがローラー表面に付着するという問題があった。
【特許文献１】特開平８−２９９８８号公報（第１頁〜第４頁、第８頁）
【発明の開示】
【発明が解決しようとする課題】
【００１０】
本発明の課題は、ローラー表面に付着した銀スラッジを容易に除去でき、なおかつローラーに再度銀スラッジの付着を防止する銀塩写真感光材料処理装置用ローラー洗浄液を提供することである。
【課題を解決するための手段】
【００１１】
本発明者らは、この課題を解決するため研究を行った結果、銀塩写真感光材料の処理装置における水洗工程に用いるローラーを洗浄するための洗浄液において、該洗浄液が下記一般式（１）で示される化合物を含有させることによって達成された。
Ｒ−Ｏ−（ＥＯ）n−（ＰＯ）m−Ｈ  （１）
Ｒ：炭素数１から４のアルキル基
ＥＯ：エチレンオキシ基
ＰＯ：プロピレンオキシ基
ｎ，ｍは０以上の整数であり、同時に０になることはない。
ＥＯ，ＰＯの連結順はランダムでも良い。
【００１２】
銀塩写真感光材料がアルミニウム平版印刷版である場合に、特に効果的である。
【発明の効果】
【００１３】
本発明のローラー洗浄液により、ローラー表面に付着した銀スラッジを容易に除去でき、なおかつローラーに再度銀スラッジの付着を防止でき、更には印刷汚れを発生させない印刷版が得られる。
【発明を実施するための最良の形態】
【００１４】
本発明は、銀塩写真感光材料の処理装置に用いるローラーを洗浄するための洗浄液であり、特にアルミニウム平版印刷版の処理装置に用いるのに好適である。
【００１５】
本発明の洗浄液は、一般式（１）で示される化合物を含有するものであり、化合物の具体的な例としては、例えば下記に挙げるものがあるが、本発明はこれに限定されるものではない。
【００１６】
メチルセロソルブ、エチルセロソルブ、プロピルセロソルブ、ブチルセロソルブ、等のアルキルオキシエタノール類、エトキシプロパノール、プロピルプロパノール、ブチルプロパノール等のアルキルオキシプロパノール類、ブトキシエトキシエタノール、ブトキシエトキシエトキシエタノール、ブトキシプロポキシプロパノール等、エチレンオキシ基またはプロピレンオキシ基が２つ以上連結したものを挙げることができる。また、アルキル基にエチレンオキシ基及びプロピレンオキシ基が連結したものが市販されている。これらの例として、ブチル基にエチレンオキシ基とプロピレンオキシ基が同じモル比で連結したものが日本油脂株式会社より、ユニルーブ５０ＭＢシリーズとして市販されており、これらを使用することができる。
【００１７】
本発明において、上記化合物は１リットル当り、１〜５００ｇ、好ましくは２０〜２００ｇ程度含有させる。
【００１８】
本発明の洗浄液は、前述したように銀塩写真感光材料の処理装置に用いられるローラー洗浄液に適用される。先ず、本発明が適用される洗浄液について説明する。
【００１９】
洗浄液には、濡れ性をあげる為に界面活性剤、例えばアニオン、ノニオン、カチオン及び両性の何れの界面活性剤を含有させても良い。また、水との相溶性を上げるために、メチルアルコール、エチルアルコール、ｎ−またはイソ−プロピルアルコール、ｎ−またはイソ−ブチルアルコール等のアルコール類、エチレングリコール、プロピレングリコールなどの水溶性の有機溶剤を含有させても良い。
【００２０】
また、ｐＨを緩衝させる緩衝剤、例えばアルカリ性物質としては、水酸化ナトリウム、水酸化カリウム、アミン化合物としてトリエタノールアミンなどのアルカノールアミン類、酸性物質としては、燐酸、硫酸などの無機酸、クエン酸、コハク酸などの有機酸を含有させても良い。
【００２１】
また、該洗浄液には防腐剤を含有させても良い。例えば、２−ブロモ−２−ニトロ−１，ポリビニルピロリドンヨード、パラクロロフェニル−３−ヨードプロパギルフォマール、塩素化イソシアヌール酸、Ｎ，Ｎ’−ジメチル−Ｎ’−（ジクロロフルオロメチルチオ）−Ｎ’フェニルスルファミド、α−クロロナフレンなどのハロゲン系化合物、Ｎ，Ｎ’，Ｎ’’−トリスヒドロキシエチルヘキサヒドロ−Ｓ−トリアジンなどのトリアジン系化合物、５−クロロ−２−メチル−４−イソチアゾリン−３−オン、２−メチル−４−イソチアゾリン−３−オン、２−ｎ−オクチル−４−イソチアゾリン−３−オン、１，２−ベンゾチアゾロンなどのイソチアゾロン系化合物、２−（４−チオシアノメチルチオ）ベンツイミダゾール、２−（４’−チアゾリル）−ベンツイミダゾール、２−メトキシカルボニルアミノベンツイミダゾールなどのイミダゾール系化合物がある。
【００２２】
また、該洗浄液にはキレート剤を含有させても良い。例えば、エチレンジアミン四酢酸（ＥＤＴＡ）、エチレンジアミン−Ｎ−（β−オキシエチル）−Ｎ，Ｎ’，Ｎ’−三酢酸、プロピレンジアミン四酢酸、ニトリロ三酢酸トリナトリウム塩、シクロヘキサンジアミン四酢酸、イミノ二酢酸、ジヒドロキシエチルグリシン、エチルエーテルジアミン四酢酸、エチレンジアミンテトラプロピオン酸、ヒドロキシエチルエチレンジアミン三酢酸、ジヒドロキシエチルエチレンジアミン二酢酸、トリエチレンテトラミン六酢酸、ジエチレントリアミン五酢酸、グリコールエーテルジアミン四酢酸、ジアミノプロパン四酢酸等などのアミノポリカルボン酸及びその塩類、１−ヒドロキシ−１−ホスホノ−エタン−１−カルボン酸、１−ヒドロキシ−１−ホスホノ−エタン−１，２−ジカルボン酸、１−ヒドロキシ−１−ホスホノ−プロパン−１−カルボン酸、１−ヒドロキシ−１−ホスホノ−プロパン−１，２，３−トリカルボン酸、１−ホスホノ−エタン−２−カルボン酸、１−ヒドロキシ−１−ホスホノ−エタン−２−カルボン酸、２−ホスホノ−ペンタン−２，５−ジカルボン酸、２−メチル−４−ホスホノ−ブタン−１，４−カルボン酸、２−ホスホノ−ブタン−１，４−ジカルボン酸カリウム塩、２，３−ジメチル−２−ホスホノ−ブタン−１，４−ジカルボン酸，１−ホスホノ−プロパン−１，２，３−トリカルボン酸、２−ホスホノ−ブタン−２，３，４−トリカルボン酸などのモノホスホノ（モノ，ジ，トリ）カルボン酸及びその塩類がある。
【００２３】
また、該洗浄液にはタンパク質分解酵素を含有させても良い。例えば、ペプシン、レンニン、トリプシン、キモトリプシン、カテプシン、パパイン、フィシン、トロンビン、レニン、コラゲナーゼ、ブロメライン、細菌プロティナーゼ（例えば、長瀬産業（株）製のビオプラーゼ）などがある。
【００２４】
銀塩印刷版の製版に用いられる現像液には、現像主薬、例えばポリヒドロキシベンゼン類、３−ピラゾリジノン類、アルカリ性物質、例えば水酸化カリウム、水酸化ナトリウム、水酸化リチウム、第３燐酸ナトリウム、あるいはアミン化合物、保恒剤、例えば亜硫酸ナトリウム、粘稠剤、例えばカルボキシメチルセルロース、カブリ防止剤、例えば臭化カリウム、現像変成剤、例えばポリオキシアルキレン化合物、ハロゲン化銀溶剤、例えばチオ硫酸塩、チオシアン酸塩、環状イミド、チオサリチル酸、メソイオン性化合物等の添加剤を含ませることができる。上記親油化剤を含有させてもよい。現像液のｐＨは通常１０〜１４、好ましくは１２〜１４である。
【００２５】
銀塩印刷版の製版に用いられる水洗液には、ｐＨを４〜８、好ましくは４．５〜７の範囲に緩衝させる緩衝剤、例えば燐酸塩緩衝剤、クエン酸塩緩衝剤またはそれらの混合物を含有することができる。また、防腐剤を含有させてもよい。水洗液中には更に上記タンパク質分解酵素及び親油化剤を含有させることが好ましい。
【００２６】
本発明において、現像処理に続いて水洗処理が施される。水洗液にはｐＨを４〜８、好ましくは４．５〜７の範囲に緩衝させる緩衝剤、例えば燐酸塩緩衝剤、クエン酸塩緩衝剤またはそれらの混合物を含有することができる。また、防腐剤を含有させてもよい。水洗液中には更にタンパク質分解酵素（例えば、ペプシン、レンニン、トリプシン、キモトリプシン、カテプシン、パパイン、フィシン、トロンビン、レニン、コラゲナーゼ、ブロメライン、細菌プロティナーゼ）や、前記した親油化剤を含有させることができる。
【００２７】
現像処理と水洗処理の間に、現像の進行を停止させる中和安定化処理を施してもよく、中和液に前記親油化剤を含有させてもよい。
【００２８】
上記水洗液はアルミニウム支持体上のハロゲン化銀乳剤層を完全に除去するために用いるもので、２５〜３５℃の水洗液をジェット方式で吹き付ける方法、または水洗液を吹き付けながらスクラブローラで乳剤層を剥離する方法が一般的に用いられている。
【００２９】
アルミニウム平版印刷版において、ハロゲン化銀乳剤層の水洗除去は、銀画像部及びアルミニウム表面自身で構成する非画像部を完全に露出させるために極めて重要な工程である。とりわけ、インキを受容する銀画像部は強い親油性が必要であり、ゼラチン等の親油性を阻害する物質は完全に排除する必要がある。
【００３０】
水洗処理によって露出した銀画像部及び非画像部は、各々の親油性及び親水性を高めるため、及び版面の保護のために、仕上げ液による処理が施される。本発明において、仕上げ液には、非画像部の陽極酸化層の保護及び親水性向上のために、アラビヤガム、デキストリン、アルギン酸ナトリウム、アルギン酸のプロピレングリコールエステル、ヒドロキシエチル澱粉、カルボキシメチルセルロース、ヒドロキシエチルセルロース、ポリビニルピロリドン、ポリスチレンスルホン酸、ポリビニルアルコール等の保護コロイドを含有することが好ましい。また、画像部の親油性を更に向上させるために、上記親油化剤を含有することが好ましい。更に上記酵素を含有することができる。
【００３１】
本発明が対象とする平版印刷版は、アルミニウム支持体上に物理現像核及びハロゲン化銀乳剤層を有する。ハロゲン化銀乳剤は、一般に用いられる塩化銀、臭化銀、ヨウ化銀、塩臭化銀、塩ヨウ臭化銀、ヨウ臭化銀等から選択されるが、塩化銀主体（塩化銀５０モル％以上のものを意味する）が好ましい。また乳剤のタイプとしてはネガ型、ポジ型のいずれでもよい。これらのハロゲン化銀乳剤は必要に応じて化学増感あるいはスペクトル増感することができる。
【００３２】
ハロゲン化銀乳剤層の親水性コロイドとしてはゼラチンを用いることがハロゲン化銀粒子を作成する際に好ましい。ゼラチンには酸処理ゼラチン、アルカリ処理ゼラチン等各種ゼラチンを用いることができる。また、それらの修飾ゼラチン（例えばフタル化ゼラチン、アミド化ゼラチンなど）も用いることができる。また、更にポリビニルピロリドン、各種でんぷん、アルブミン、ポリビニルアルコール、アラビアガム、ヒドロキシエチルセルロース、等の親水性高分子化合物を含有させることができる。用いられる親水性コロイドとしては、現像後の剥離性を容易にするために実質的に硬膜剤を含まない親水性コロイド層を用いることが望ましい。
【００３３】
本発明の平版印刷版の乳剤層には、必要に応じてアニオン、カチオン、ベタイン、ノニオン系の各種界面活性剤、カルボキシメチルセルロース等の増粘剤、消泡剤等の塗布助剤、エチレンジアミンテトラアセテート等のキレート剤、ハイドロキノン、ポリヒドロキシベンゼン類、３−ピラゾリジノン類等の現像主薬を含有させてもよい。
【００３４】
本発明に用いられるアルミニウム支持体は粗面化され陽極酸化されたアルミニウム板であり、好ましくは米国特許第５，４２７，８８９号公報に記載されているものが用いられる。
【００３５】
本発明で用いられる物理現像核層の物理現像核としては、公知の銀錯塩拡散転写法に用いられるものでよく、例えば金、銀等のコロイド、パラジウム、亜鉛等の水溶性塩と硫化物を混合した金属硫化物などが使用できる。保護コロイドとして各種親水性コロイドを用いることもできる。これらの詳細及び製法については、例えば、特公昭４８−３０５６２号、特開昭４８−５５４０２号、同５３−２１６０２号、フォーカル・プレス、ロンドンニューヨーク（1972年）発行、アンドレ  ロット及びエディス  ワイデ著、「フォトグラフィック・シルバー・ハライド・ディヒュージョン・プロセシズ」を参照し得る。
【００３６】
本発明において、物理現像核層とハロゲン化銀乳剤層の間に、特開平３−１１６１５１号公報記載の水膨潤性中間層、同平４−２８２２９５号公報に記載の疎水性重合体ビーズを含有する中間層を設けてもよい。
【００３７】
以下に本発明を実施例により説明する。
【実施例１】
【００３８】
以下のローラー洗浄液を作成した。
＜洗浄液Ａ＞
ブトキシエトキシエタノール                                  ５０ｇ
水を加えて全量を１０００ｍｌに調整。
【００３９】
＜洗浄液Ｂ＞
プロポキシプロパノール                                      ５０ｇ
水を加えて全量を１０００ｍｌに調整。
【００４０】
＜洗浄液Ｃ＞
ユニルーブ５０ＭＢ５（日本油脂（株）製）                    ５０ｇ
水を加えて全量を１０００ｍｌに調整。
【００４１】
＜洗浄液Ｄ＞
ドデシルベンゼンスルホン酸ナトリウム                        ５０ｇ
水を加えて全量を１０００ｍｌに調整。
【００４２】
＜洗浄液Ｅ＞
ラウリル硫酸ナトリウム                                      ５０ｇ
水を加えて全量を１０００ｍｌに調整。
【００４３】
＜洗浄液Ｆ＞
ポリエチレングリコールラウリルエーテル                      ５０ｇ
水を加えて全量を１０００ｍｌに調整。
【００４４】
＜洗浄液Ｇ＞
ポリエチレングリコールモノラウレート                        ５０ｇ
水を加えて全量を１０００ｍｌに調整。
【００４５】
＜洗浄液Ｈ＞
水のみで１０００ｍｌに調整。
【００４６】
＜平版印刷版の作製＞
アルミニウム支持体の電解粗面化処理及び陽極酸化は米国特許第５，４２７，８８９号公報に記載の方法に従って、平均直径約５μｍのプラト−上に直径０．０３〜０．３０μｍのピットを１００μｍ2当たり約５，６００個有し、かつ これらのピットの平均直径が０．０８μｍである厚さ０．３０ｍｍのアルミニウム板を得た。このアルミ板は粗面化処理後に陽極酸化したものであり、平均粗さ（Ｒａ）は０．５〜０．６μｍであった。
【００４７】
物理現像核として、特開昭６３−２０８８４３号公報に記載の核液（Ａ）の調整方法に準じて作成した後、ｐＨを６．８に調整した。この物理現像核液を前記アルミニウム支持体に塗布、乾燥した。
【００４８】
ハロゲン化銀乳剤として、保護コロイドとして、アルカリ処理ゼラチンを用い、コントロールダブルジェット法で平均粒径０．２μｍの、ヘキサクロロイリジウム（IV）酸カリウムを銀１モル当り０．００６ｍｍｏｌドープさせた塩ヨウ臭化銀乳剤（ＡｇＢｒ２０モル％、ＡｇＩ０．４モル％）を作成した。更に、この乳剤に硫黄金増感を施し、赤色領域の増感色素を銀１ｇ当り３ｍｇ用いて分光増感した。
【００４９】
このようにして作成したハロゲン化銀乳剤に界面活性剤を加え、前記物理現像核が塗布されたアルミニウム支持体上に銀量が２ｇ／ｍ2、ゼラチン（アルカリ処理ゼラチン）が３ｇ／ｍ2になるように塗布、乾燥して平版印刷材料を得た。
【００５０】
＜平版印刷版の処理＞
上記平版印刷材料を６３３ｎｍの赤色ＬＤレーザーを光源とする出力機で画像出力し、次に製版用プロセッサー（三菱製紙社製Ｐ−α８８０自動現像機）で処理した。製版用プロセッサーは、現像処理工程（２２℃、１０秒間浸漬）、水洗処理工程（３２℃の処理液を１０秒間シャワー噴射しながらスクラビングローラで乳剤層をウォッシュオフする）、仕上げ処理工程及び乾燥工程から構成されている。水洗処理工程は、貯留タンクに貯留された２０リットルの処理液をポンプで循環させて、平版印刷版にシャワー噴射した後、濾過フィルターで濾過して貯留タンクに回収し再使用するクローズドタイプになっている。
【００５１】
用いた現像液及び水洗液、仕上げ液の組成は次の通りである。
【００５２】
＜現像液＞
水酸化ナトリウム                                            ２０ｇ
ハイドロキノン                                              ２０ｇ
１−フェニル−３ピラゾリジノン                                ２ｇ
無水亜硫酸ナトリウム                                      ８０ｇ
Ｎ−メチルエタノールアミン                                    ６ｇ
チオ硫酸ナトリウム（５水塩）                                  ６ｇ
エチレンジアミン四酢酸ナトリウム塩                            ５ｇ
脱イオン水で１０００ｍｌとする。
ｐＨ（２５℃）＝１３．４
【００５３】
＜水洗液＞
２−メルカプト−５−ｎヘプチル−オキサジアゾール          ０．５ｇ
トリエタノールアミン                                        １３ｇ
重亜硫酸ナトリウム                                          １０ｇ
リン酸二水素カリウム                                        ４０ｇ
タンパク質分解酵素                                            １ｇ
水を加えて全量を１０００ｃｃに調整する。ｐＨは６．０に調整した。
タンパク質分解酵素として、ビオプラーゼＡＬ−１５（細菌プロティナーゼ、長瀬産業（株）製）を用いた。
【００５４】
＜仕上げ液＞
アラビアゴム                                                １０ｇ
硝酸ナトリウム                                              ２０ｇ
ポリエチレングリコール＃４００                            １００ｇ
２−メルカプト−５−ｎヘプチル−オキサジアゾール          ０．５ｇ
カチオン系界面活性剤                                          ５ｇ
リン酸１アンモニウム                                        １０ｇ
脱イオン水で１０００ｍｌとする。
カチオン系界面活性剤としてナイミーンＬ−７０３（日本油脂（株）製）を用いた。水酸化ナトリウムにてｐＨは５．０に調整した。
【００５５】
上記記載の方法で平版印刷版を１００ｍ2処理した後、上記洗浄液をスポンジ等に適量含ませ、ローラーに付着したスラッジを除去し、その時のスラッジ除去効果を観察した。
【００５６】
また、再び上記記載の方法で平版印刷版を１００ｍ2処理を行い、その際にローラーに付着したスラッジの状態を観察した。また、合計２００ｍ2処理後に製版された平版印刷版を下記の方法で印刷した。尚、処理に際して、現像液及び水洗液は、それぞれ同じ組成の液を、平版印刷版１ｍ2当り現像液１００ｍｌ、水洗液１００ｍｌ補充した。
【００５７】
上記記載の方法で作成された平版印刷版を、印刷機スプリント２６（小森コーポレーション社製オフセット印刷機の商標）、インキ（東洋インキ製造（株）社製のＴＯＹＯハイエコー紅ＭＺ）及び給湿液（日研化学研究所（株）社製のアストロマーク３）を使用して印刷した。通常の方法で２００枚印刷後、印刷物にスラッジ状の汚れが見られるかを評価した。
【００５８】
また、スラッジの除去効果、及び、スラッジの再付着状態については、以下の基準で評価した。これらの評価結果を併せて表１に示す。
【００５９】
＜スラッジ除去効果＞
○：完全に除去
×：除去できない
【００６０】
＜スラッジ再付着＞
○：再付着なし
×：再付着あり
【００６１】
【表１】
2005283752.tif 000002
【００６２】
上記結果から明らかなように、本発明は比較に比べてスラッジの除去が可能でスラッジの再付着も見られず優れている事が分かる。